(57)【特許請求の範囲】
【請求項１】
給送される用紙に画像印刷などを行なう親機と通信回線により各種データを通信し、送信された各種データとメモリに予め設定された記憶データとに従って用紙搬送機構により前記親機に用紙を順次給送する給紙装置において、前記通信回線とは別個に外部と通信する第二の通信回線を設け、この第二の通信回線により外部からアドレスデータを受信すると、前記用紙搬送機構の作動中でも前記アドレスデータに対応する前記メモリの記憶エリアから記憶データを読み出すデータ読出手段を設け、このデータ読出手段が読み出した記憶データを前記第二の通信回線により外部に送信するデータ送信手段を設けたことを特徴とする給紙装置。
【請求項２】
給送される用紙に画像印刷などを行なう親機と通信回線により各種データを通信し、送信された各種データとメモリに予め設定された記憶データとに従って用紙搬送機構により前記親機に用紙を順次給送する給紙装置において、前記通信回線とは別個に外部と通信する第二の通信回線を設け、この第二の通信回線により外部からアドレスデータと格納データとを受信すると、前記用紙搬送機構の作動中でも前記アドレスデータに対応する前記メモリの記憶エリアに前記格納データを格納するデータ格納手段を設けたことを特徴とする給紙装置。
【請求項３】
給送される用紙に画像印刷などを行なう親機と通信回線により各種データを通信し、送信された各種データとメモリに予め設定された記憶データとに従って用紙搬送機構により前記親機に用紙を順次給送する給紙装置において、ナンバリングされた複数のプログラムの記憶エリアを前記メモリに設け、前記通信回線とは別個に外部と通信する第二の通信回線を設け、この第二の通信回線により外部からプログラムのナンバーデータを受信すると、前記用紙搬送機構の作動中でも前記ナンバーデータに対応するプログラムを前記メモリから読み出して実行するプログラム実行手段を設けたことを特徴とする給紙装置。
【発明の詳細な説明】
【０００１】
【産業上の利用分野】
本発明は、親機に用紙を給送する給紙装置に関する。
【０００２】
【従来の技術】
デジタル複写機やファクシミリなどには、親機である画像形成装置と大容量の給紙装置とを組み合わせた構造のものがある。このような機器では、画像形成装置の画像形成のタイミングに同期させて給紙装置が用紙を給送する必要がある。また、画像形成装置にジャムなどのエラーが発生した場合には給紙装置が用紙給送を中止する必要がある。
【０００３】
このため、デジタル複写機やファクシミリなどでは、給紙装置と画像形成装置とが通信回線により接続されており、給紙装置が画像形成装置に用紙を給送する場合に、画像形成装置と給紙装置とが各種データを相互に通信することにより、給紙タイミングが制御され、必要な場合には給紙が中止される。
【０００４】
上述のような給紙装置を開発する場合は、その試作品に対して各種の調査を実行する必要がある。
【０００５】
例えば、搬送特性を計測することにより、用紙の搬送時のスリップによる遅れが調査される。この場合、搬送される用紙を第一のセンサにより検知してから第二のセンサにより検知するまでの時間や、給紙開始からセンサが用紙を検知するまでの時間などを、オシロスコープ等の計測器で計測する。
【０００６】
また、ソフトウェアチェックやデバッグを実行する場合は、用紙の搬送時の各部の動作を目視して動作不良をチェックしたり、所定ラインに接続したオシロスコープ等の計測器で伝送信号のタイミングとレベルとをチェックしたりする。不具合が発見された場合には、対応するソフトウェアをチェックして修正やデバッグを行なう。
【０００７】
さらに、上述のような給紙装置は、各種データを予め記憶したメモリをＲＯＭ（Ｒｅａｄ  Ｏｎｌｙ  Ｍｅｍｏｒｙ）として有しており、画像形成装置から各種データを受信すると、この受信データと記憶データとに従って用紙給送などの各種動作を実行する。このため、ＲＯＭの記憶データを変更すると動作内容も変化するので、このように記憶データのパラメータを各種に変更して結果の変化を実験する場合には、パラメータを変更して設定した複数のＲＯＭを用意し、これを差し替えて給紙装置を動作させる。
【０００８】
【発明が解決しようとする課題】
上述のような給紙装置では、搬送特性をオシロスコープで計測する場合、その画面にリアルタイムに表示される信号波形から用紙の搬送時間を読み取るので、作業負担が大きく手間と時間とを要する。さらに、用紙を連続搬送する場合、信号波形の読み取りがまにあわないことがある。このようなことは、所定ラインに接続したオシロスコープで伝送信号のタイミングとレベルとをチェックする場合も同様である。
【０００９】
また、ソフトウェアチェックなどのために各部の動作を目視する場合、目視で動作不良を発見すると、給紙装置を停止させて対応するソフトウェアやデータを読み出し、チェックやデバッグを実行することになる。つまり、給紙装置の動作中に、メモリの内部のデータやフラグをチェックすることができないので、作業全体の効率が悪く時間と手間とを要する。
【００１０】
さらに、メモリの記憶データのパラメータを変更して結果を実験する場合、パラメータを変更した複数のＲＯＭを予め用意する必要があるので、費用がかさむことになる。また、このような複数のＲＯＭを差し替えて給紙装置を動作させるので、作業全体の効率が悪く時間と手間とを要する。
【００１１】
【課題を解決するための手段】
請求項１記載の発明は、給送される用紙に画像印刷などを行なう親機と通信回線により各種データを通信し、送信された各種データとメモリに予め設定された記憶データとに従って用紙搬送機構により親機に用紙を順次給送する給紙装置において、通信回線とは別個に外部と通信する第二の通信回線を設け、この第二の通信回線により外部からアドレスデータを受信すると、用紙搬送機構の作動中でもアドレスデータに対応するメモリの記憶エリアから記憶データを読み出すデータ読出手段を設け、このデータ読出手段が読み出した記憶データを第二の通信回線により外部に送信するデータ送信手段を設けた。
【００１２】
請求項２記載の発明は、給送される用紙に画像印刷などを行なう親機と通信回線により各種データを通信し、送信された各種データとメモリに予め設定された記憶データとに従って用紙搬送機構により親機に用紙を順次給送する給紙装置において、通信回線とは別個に外部と通信する第二の通信回線を設け、この第二の通信回線により外部からアドレスデータと格納データとを受信すると、用紙搬送機構の作動中でもアドレスデータに対応するメモリの記憶エリアに格納データを格納するデータ格納手段を設けた。
【００１３】
請求項３記載の発明は、給送される用紙に画像印刷などを行なう親機と通信回線により各種データを通信し、送信された各種データとメモリに予め設定された記憶データとに従って用紙搬送機構により親機に用紙を順次給送する給紙装置において、ナンバリングされた複数のプログラムの記憶エリアをメモリに設け、通信回線とは別個に外部と通信する第二の通信回線を設け、この第二の通信回線により外部からプログラムのナンバーデータを受信すると、用紙搬送機構の作動中でもナンバーデータに対応するプログラムをメモリから読み出して実行するプログラム実行手段を設けた。
【００１４】
【作用】
請求項１記載の発明は、通信回線とは別個に外部と通信する第二の通信回線によりアドレスデータを受信すると、用紙搬送機構の作動中でもデータ読出手段が対応するメモリの記憶エリアから記憶データを読み出し、この記憶データをデータ送信手段が第二の通信回線により外部に送信することにより、用紙搬送の最中でもメモリの内容を外部からチェックできる。
【００１５】
請求項２記載の発明は、通信回線とは別個に外部と通信する第二の通信回線によりアドレスデータと格納データとを受信すると、用紙搬送機構の作動中でもデータ格納手段が対応するメモリの記憶エリアに格納データを格納することにより、用紙搬送の最中でもメモリの内容を外部から更新できる。
【００１６】
請求項３記載の発明は、通信回線とは別個に外部と通信する第二の通信回線によりプログラムのナンバーデータを受信すると、用紙搬送機構の作動中でもプログラム実行手段が対応するプログラムをメモリから読み出して実行することにより、用紙搬送の最中でもプログラムの開始を外部から操作できる。
【００１７】
【実施例】
本発明の一実施例を図面に基づいて以下に説明する。なお、本実施例では図２の左方を給紙装置１の前方として定義するが、この前後左右や上下などの方向は、説明を簡略化するために便宜的に定義するものであり、これは実際の装置の設置や使用の方向を限定するものではない。
【００１８】
本実施例の大容量の給紙装置１は、図１及び図２に示すように、親機である画像形成装置２と組み合わされて複写機３を形成している。この複写機３の給紙装置１と画像形成装置２との内部機構を図２に基づいて以下に順次説明する。
【００１９】
まず、給紙装置１は、その装置本体４の内部に四個の給紙カセット５〜８を有しており、これらの給紙カセット５〜８に共通に連通する用紙搬送路９が前記装置本体４の上面に開口している。この用紙搬送路９には、前記給紙カセット５〜８の後部上方に対向する位置に給紙ローラ１０が配置されており、この給紙ローラ１０より後方には、中継センサ１１と一対の搬送ローラ１２とが順次配置されている。また、前記給紙ローラ１０や前記搬送ローラ１２にクラッチやギヤ列を介して駆動モータが接続されることにより（図示せず）、印刷用紙１３を順次給送する用紙搬送機構が形成されており、この用紙搬送機構や前記中継センサ１１に給紙制御部１４が接続されている。
【００２０】
また、前記画像形成装置２は、その装置本体１５の内部に画像走査機構１６や電子写真機構１７を有しており、この電子写真機構１７に連通する用紙搬送路１８が前記装置本体１５の下面と前面とに開口している。この画像形成装置２の装置本体１５の下面における前記用紙搬送路１８の開口は、給紙装置１の装置本体４の上面における前記用紙搬送路９の開口と連通するようになっており、前記装置本体１５の前面における前記用紙搬送路１８の開口には排紙トレー１９が配置されている。前記画像走査機構１６や前記電子写真機構１７が印刷制御部２０に接続されている。
【００２１】
つぎに、給紙装置１の給紙制御部１４の回路構造を図１に基づいて以下に説明する。まず、給紙制御部１４はＣＰＵ（Ｃｅｎｔｒａｌ  Ｐｒｏｃｅｓｓｉｎｇ  Ｕｎｉｔ）２１を有しており、このＣＰＵ２１には、Ｉ／Ｏ（Ｉｎｐｕｔ／Ｏｕｔｐｕｔ）２２を介して前記駆動機構等の各種負荷２３や前記中継センサ１１等の各種センサ２４が接続されている。さらに、前記ＣＰＵ２１には、メモリであるＲＯＭ２５、メモリであるＲＡＭ（Ｒａｎｄｏｍ  Ａｃｃｅｓｓ  Ｍｅｍｏｒｙ）２６、第一の通信Ｉ／Ｆ（Ｉｎｔｅｒｆａｃｅ）２７、第二の通信Ｉ／Ｆ２８が接続されている。前記ＲＯＭ２５には、前記ＣＰＵ２１の動作プログラムなどのソフトウェアが予め固定的に格納されており、前記ＲＡＭ２６は、各種データやフラグなどを更新自在に一時記憶する。
【００２２】
また、前記画像形成装置２の印刷制御部２０も一個の通信Ｉ／Ｆ（図示せず）を有しており、この通信Ｉ／Ｆと前記第一の通信Ｉ／Ｆ２７とはシリアルな第一の通信回線２９で相互に接続されている。
【００２３】
さらに、本実施例の給紙装置１の搬送特性の計測などを実行する場合は、前記第二の通信Ｉ／Ｆ２８にシリアルな第二の通信回線３０でパーソナルコンピュータ３１が接続される。このパーソナルコンピュータ３１は、前記第二の通信回線３０が接続される通信Ｉ／Ｆ（図示せず）を有するコンピュータ本体３２、キーボード３３、ＣＲＴ（Ｃａｔｈｏｄｅ  Ｒａｙ  Ｔｕｂｅ）３４、プリンタ３５からなる。
【００２４】
本実施例の給紙装置１は、データ読出手段、データ送信手段、データ格納手段、プログラム実行手段を有しており、これらの各種手段は、前記パーソナルコンピュータ３１との通信データに基づいて各々機能する。本実施例の給紙装置１と前記パーソナルコンピュータ３１との通信データは、図４（ａ）に示すように、ヘッダとコマンドとデータとフッタとが順次設定されたフォーマットとなっており、複数バイトからなる一つのフレームで一つの命令が構成されている。
【００２５】
データ読出手段は、詳細には後述するように、前記第二の通信回線３０により外部の前記パーソナルコンピュータ３１からアドレスデータを受信すると、前記用紙搬送機構の作動中でも、アドレスデータに対応する前記ＲＡＭ２６の記憶エリアから記憶データを読み出す。データ送信手段は、読み出された記憶データを前記第二の通信回線３０により外部の前記パーソナルコンピュータ３１に送信する。
【００２６】
また、データ格納手段は、前記第二の通信回線３０により外部の前記パーソナルコンピュータ３１からアドレスデータと格納データとを受信すると、前記用紙搬送機構の作動中でも、アドレスデータに対応した前記ＲＡＭ２６の記憶エリアに格納データを格納する。
【００２７】
さらに、プログラム実行手段は、前記第二の通信回線３０により外部の前記パーソナルコンピュータ３１からプログラムのナンバーデータを受信すると、前記用紙搬送機構の作動中でもナンバーデータに対応したチェックプログラムを前記ＲＡＭ２６から読み出して実行する。このため、前記ＲＡＭ２６には、ナンバリングされた複数のチェックプログラムが予め設定されている。
【００２８】
なお、本実施例の給紙装置１のＲＡＭ２６には、図３に示すように、前記パーソナルコンピュータ３１から受信した通信データが展開される領域がアドレスＡＤ０〜ＡＤ４に設定され、前記パーソナルコンピュータ３１に送信する通信データが展開される領域がアドレスＡＤ５〜ＡＤ９に設定され、線速データやカウント値やセンサ値やフラグなど各種データの記憶領域がアドレスＡＤ１０以降に設定されている。
【００２９】
このような構成において、図５に示すように、給紙装置１のメイン処理には、初期設定の完了後に、受信フレーム判断処理、線速変更処理、センサ入力処理、Ｉ／Ｏ出力処理、チェックプログラム１、チェックプログラム２等のように、各種のサブルーチンが設定されている。これらのサブルーチンは高速に順次処理されるので、給紙装置１は見掛け上はリアルタイムに作動する。
【００３０】
さらに、図６に示すように、メイン処理とは別個に割込処理としてタイマ割込処理と受信割込処理とが設定されている。タイマ割込処理は、一定時間毎にメイン処理に割り込む処理で、各種カウンタのカウントアップと送信処理とが設定されている。受信割込処理は、第一と第二との通信回線２９，３０から各種データを受信するとメイン処理に割り込む処理で、受信データの展開と受信完了フラグのオンとが設定されている。
【００３１】
ここで、複写機３において給紙装置１が分離給送する印刷用紙１３に画像形成装置２で画像を形成する場合の処理動作を以下に説明する。まず、給紙装置１の用紙給送と画像形成装置２の画像印刷とを同期させるため、給紙装置１の給紙制御部１４と画像形成装置２の印刷制御部２０とは第一の通信回線２９により各種データをシリアルに通信する。給紙装置１の給紙制御部１４では、第一の通信回線２９から受信したシリアルな各種データが通信Ｉ／Ｆ２７によりパラレルに変換されると、ＣＰＵ２１が受信データとＲＯＭ２５やＲＡＭ２６の記憶データとに従って各種負荷２３を駆動制御するので、用紙搬送機構も駆動制御されて印刷用紙１３が画像形成装置２に順次給送される。
【００３２】
この時、用紙搬送機構の駆動モータは、ＲＡＭ２６のアドレスＡＤ１０に設定された線速データに従って作動速度が制御される。また、印刷用紙１３の給送開始から中継センサ１１が印刷用紙１３を検知するまでに要した時間が、ＲＡＭ２６のアドレスＡＤ１１に一時記憶される。
【００３３】
なお、上述のように複写機３が複写動作を実行する場合には、給紙装置１にパーソナルコンピュータ３１が接続されている必要はない。
【００３４】
ここで、このような複写機３の給紙装置１に対して各種の調査を実行する場合の手順を以下に説明する。まず、給紙装置１に第二の通信回線３０でパーソナルコンピュータ３１を接続する。
【００３５】
そして、給紙装置１の搬送特性を計測する場合は、ユーザはパーソナルコンピュータ３１から給紙装置１に第二の通信回線３０により通信データを送信させる。この時、この通信データは、図４（ｂ）に示すように、ヘッダ、ＲＡＭ内容要求コマンド、アドレスデータ、フッタからなる。
【００３６】
給紙装置１では、シリアルに受信する通信データが通信Ｉ／Ｆ２８でパラレルに変換されてＣＰＵ２１に取り込まれるので、図６（ｂ）に示すように、ＣＰＵ２１は一バイトのデータを取り込む毎に受信割込処理を実行する。つまり、図３に示すように、通信データのヘッダとＲＡＭ内容要求コマンドとアドレスデータとフッタとがＲＡＭ２６のアドレスＡＤ０〜ＡＤ４に順次展開され、フッタの展開が完了するとＲＡＭ２６のアドレスＡＤ１４の受信完了フラグＦＧ０がオンにされる。
【００３７】
そして、この受信完了フラグＦＧ０がオンにされることにより、図７に示すように、受信フレーム判断処理のサブルーチンが開始される。まず、受信完了フラグＦＧ０がオフにされ、ＲＡＭ２６のアドレスＡＤ１に展開されたコマンドの内容に対応して処理が実行される。ここではコマンドがＲＡＭ内容要求コマンドなので、図８に示すように、ＲＡＭ２６のアドレスＡＤ６にＲＡＭ情報コマンドが展開され、アドレスＡＤ２に展開されたアドレスデータによりＲＡＭ２６の対応する記憶エリアから記憶データが読み出される。より具体的には、ＲＡＭ２６のアドレスＡＤ１１からカウント値が読み出され、これがアドレスＡＤ７に展開される。
【００３８】
この時、ＲＡＭ２６のアドレスＡＤ５にはヘッダが展開されており、アドレスＡＤ８にはフッタが展開されているので、アドレスＡＤ５〜ＡＤ８には、記憶データを包含した通信データが展開されたことになり、この通信データがパラレルに順次読み出されて通信Ｉ／Ｆ２８から第二の通信回線３０によりパーソナルコンピュータ３１に送信される。つまり、給紙装置１が印刷用紙１３の給送開始から中継センサ１１が印刷用紙１３を検知するまでに要した時間であるカウント値が、パーソナルコンピュータ３１に通信データとして送信されるので、このパーソナルコンピュータ３１でカウント値を読み取ることにより給紙装置１の搬送特性を計測することができる。
【００３９】
このため、パーソナルコンピュータ３１と給紙装置１とがデータ通信を実行するだけで、給紙装置１の搬送特性をパーソナルコンピュータ３１で計測することができるので、オシロスコープ等の計測器（図示せず）による計測に比較して作業が簡易である。例えば、パーソナルコンピュータ３１において、多数の搬送特性を集計してデータ処理することや、計測結果をプリンタ３５により印刷出力することもできる。さらに、上述のような処理動作は、給紙装置１の用紙搬送の最中でも実行されるので、ＲＡＭ２６の内部のデータやフラグをチェックするために用紙搬送を停止する必要がなく、作業全体の効率を向上させることができる。
【００４０】
なお、上述のようにして給紙装置１のＲＡＭ２６の所望の記憶データをパーソナルコンピュータ３１で読み出すことにより、給紙装置１のソフトウェアチェックなども簡易に実行することができる。
【００４１】
つぎに、給紙装置１の給送速度をパーソナルコンピュータ３１の遠隔操作により変更する処理動作を以下に説明する。まず、ユーザはパーソナルコンピュータ３１から給紙装置１に第二の通信回線３０により通信データを送信させるが、この場合の通信データは、ヘッダ、線速変更コマンド、線速データ、フッタからなる。
【００４２】
給紙装置１では、受信割込処理が開始されるので、通信データがＲＡＭ２６のアドレスＡＤ０〜ＡＤ４に順次展開され、受信フレーム判断処理のサブルーチンが開始される。この場合はＲＡＭ２６のアドレスＡＤ０１に展開されたコマンドが線速変更コマンドなので、図７に示すように、アドレスＡＤ１４の線速変更フラグＦＧ１がオンにされ、図９に示すように、この線速変更フラグＦＧ１のオンにより線速変更処理が開始される。つまり、線速変更フラグＦＧ１がオフにされ、アドレスＡＤ０２に展開された線速データによりアドレスＡＤ１０の線速データが書き替えられる。この線速データは用紙搬送機構の駆動モータの回転数であるので、上述のようにすることで、給紙装置１の給送速度が変更される。
【００４３】
このため、パーソナルコンピュータ３１と給紙装置１とがデータ通信を実行するだけで、給紙装置１の搬送速度をパーソナルコンピュータ３１で変更することができ、このような処理動作は、給紙装置１の用紙搬送の最中でも実行される。つまり、ＲＡＭ２６の記憶データのパラメータを変更して結果を実験する場合でも、パラメータを変更した複数のＲＯＭを予め用意して給紙装置１に差し替える必要がなく、パラメータを簡易かつ迅速に自在に変更することができ、作業効率を向上させることができる。
【００４４】
つぎに、給紙装置１に予め設定されているプログラムをパーソナルコンピュータ３１の遠隔操作により実行させる場合の処理動作を以下に説明する。なお、ここでは給紙装置１に搬送特性のチェックプログラムが予め設定されているものとして、このチェックプログラムを給紙動作の最中に実行させる場合を説明する。
【００４５】
まず、ユーザはパーソナルコンピュータ３１から給紙装置１に第二の通信回線３０により通信データを送信させるが、この場合の通信データは、ヘッダ、チェックプログラム動作コマンド、プログラムのオンデータかオフデータ、フッタからなる。
【００４６】
給紙装置１では、受信割込処理が開始されるので、通信データがＲＡＭ２６のアドレスＡＤ０〜ＡＤ４に順次展開され、受信フレーム判断処理のサブルーチンが開始される。この場合はＲＡＭ２６のアドレスＡＤ０１に展開されたコマンドが線速変更コマンドなので、図７に示すように、アドレスＡＤ０２に展開されたデータがオンデータかオフデータかが“０”か“１”かで判断され、“１”の場合はオンデータとしてアドレスＡＤ１４のプログラム動作フラグＦＧ２がオンにされ、“０”の場合はオフデータとしてアドレスＡＤ１４のプログラム動作フラグＦＧ２がオフにされる。このプログラム動作フラグＦＧ２がオンの場合のみチェックプログラムの処理動作が実行され、オフの場合はチェックプログラムの処理動作は実行されない。
【００４７】
そして、図１０に示すように、プログラム動作フラグＦＧ２がオンであるとしてチェックプログラムの処理動作が実行される場合、ＲＡＭ２６のアドレスＡＤ１１のカウント値がクリアされると共に、アドレスＡＤ１４の送信終了フラグＦＧ３がオフにされ、これが給紙動作の開始まで繰り返される。アドレスＡＤ１１のカウント値は、図６（ａ）に示すように、タイマ割込処理でカウントアップされるので、給紙動作が開始されるとクリアが中止されてカウントアップされる。
【００４８】
そして、給紙動作が開始されると印刷用紙１３が中継センサ１１により検知されるので、この中継センサ１１の検知後にアドレスＡＤ１４の送信終了フラグＦＧ３がオフであることが確認されると、ＲＡＭ２６のアドレスＡＤ１１のカウント値がアドレスＡＤ７に展開される。
【００４９】
この時、アドレスＡＤ５にはヘッダが展開され、アドレスＡＤ６にはコマンドが展開され、アドレスＡＤ８にはフッタが展開されているので、アドレスＡＤ５〜ＡＤ８には、カウント値を包含した通信データが展開されたことになり、この通信データが第二の通信回線３０によりパーソナルコンピュータ３１に送信される。つまり、給紙装置１が印刷用紙１３の給送開始から中継センサ１１が印刷用紙１３を検知するまでに要した時間であるカウント値が計測され、パーソナルコンピュータ３１に通信データとして送信されるので、このパーソナルコンピュータ３１は給紙装置１の搬送特性を得ることができる。
【００５０】
このため、パーソナルコンピュータ３１と給紙装置１とがデータ通信を実行するだけで、給紙装置１の搬送特性のチェックプログラムを実行させ、その結果をパーソナルコンピュータ３１に送信させることができるので、オシロスコープ等の計測器による計測に比較して作業が簡易である。さらに、上述のような処理動作は、給紙装置１の用紙搬送の最中でも実行されるので、チェックプログラムを開始させるために用紙搬送を停止する必要がなく、作業全体の効率を向上させることができる。
【００５１】
なお、ここではパーソナルコンピュータ３１の遠隔操作により、給紙装置１の搬送特性のチェックプログラムを実行させることを示したが、本発明は上記実施例に限定されるものではなく、給紙装置１に有用な各種のプログラムに適用可能である。
【００５２】
また、本実施例では給紙装置１の親機を画像形成装置２とすることを示したが、本発明は上記実施例に限定されるものではなく、このような親機を画像読取装置とすることや、用紙切断装置とすることも可能である。
【００５３】
【発明の効果】
請求項１記載の発明は、通信回線とは別個に外部と通信する第二の通信回線を設け、この第二の通信回線により外部からアドレスデータを受信すると、用紙搬送機構の作動中でもアドレスデータに対応するメモリの記憶エリアから記憶データを読み出すデータ読出手段を設け、このデータ読出手段が読み出した記憶データを第二の通信回線により外部に送信するデータ送信手段を設けたことにより、一般的なパーソナルコンピュータなどにより給紙装置のメモリの記憶データを外部からチェックすることができるので、給紙装置の搬送特性の計測やソフトウェアチェックなどを簡易かつ迅速に実行することができ、このような処理動作が用紙搬送の最中でも実行されるので、作業全体の効率を向上させることができる。
【００５４】
請求項２記載の発明は、通信回線とは別個に外部と通信する第二の通信回線を設け、この第二の通信回線により外部からアドレスデータと格納データとを受信すると、用紙搬送機構の作動中でもアドレスデータに対応するメモリの記憶エリアに格納データを格納するデータ格納手段を設けたことにより、一般的なパーソナルコンピュータなどにより給紙装置のメモリの記憶データを変更することができ、このような処理動作が用紙搬送の最中でも実行されるので、メモリの記憶データのパラメータを変更して結果の良否を実験する場合でも、パラメータを変更した複数のメモリを予め用意して給紙装置に差し替える必要がなく、パラメータを簡易かつ迅速に自在に変更することができ、作業効率を向上させることができる。
【００５５】
請求項３記載の発明は、ナンバリングされた複数のプログラムの記憶エリアをメモリに設け、通信回線とは別個に外部と通信する第二の通信回線を設け、この第二の通信回線により外部からプログラムのナンバーデータを受信すると、用紙搬送機構の作動中でもナンバーデータに対応するプログラムをメモリから読み出して実行するプログラム実行手段を設けたことにより、一般的なパーソナルコンピュータなどにより給紙装置のプログラムを外部から実行させることができるので、給紙装置の搬送特性の計測やソフトウェアチェックなどのプログラムを簡易かつ迅速に実行することができ、このような処理動作が用紙搬送の最中でも実行されるので、作業全体の効率を向上させることができる。
【図面の簡単な説明】
【図１】本発明の一実施例の給紙装置を一部とする複写機にパーソナルコンピュータを接続した状態を示すブロック図である。
【図２】複写機にパーソナルコンピュータを接続した状態を示す模式図である。
【図３】メモリであるＲＡＭ２６の記憶内容を示す模式図である。
【図４】複写機とパーソナルコンピュータとの通信データを示す模式図である。
【図５】給紙装置のメイン処理を示すフローチャートである。
【図６】給紙装置の割込処理を示し、（ａ）はタイマ割込を示すフローチャート、（ｂ）は受信割込を示すフローチャートである。
【図７】受信フレーム判断処理の前半部を示すフローチャートである。
【図８】後半部を示すフローチャートである。
【図９】線速変更処理を示すフローチャートである。
【図１０】チェックプログラムを示すフローチャートである。
【符号の説明】
１            給紙装置
２            親機
１３          用紙
２５，２６    メモリ
２９          通信回線
３０          第二の通信回線
【図１】
0003555776.tif 000002
【図２】
0003555776.tif 000003
【図３】
0003555776.tif 000004
【図４】
0003555776.tif 000005
【図５】
0003555776.tif 000006
【図６】
0003555776.tif 000007
【図７】
0003555776.tif 000008
【図８】
0003555776.tif 000009
【図９】
0003555776.tif 000010
【図１０】
0003555776.tif 000011